(57)【要約】【課題】係止部を携帯機器の隅部に係止させやすく且つ係止後に外れにくくする。携帯機器の色々な曲率半径をもつ端面アール部に対応して、係止部を浮き上がらないように且つコンパクトに係止させる。【解決手段】保持具１は、スマートフォン３０の対角の隅部に係止させる端面部３と正面部４と背面部５とからなる一対の係止部２，２と、背面部５を連結するバンド部１０とを備える。係止部２，２は硬質材料製の芯部６と伸縮性高分子材料製の被覆部７とからなり、バンド部１０は被覆部７と連続する伸縮性高分子材料製である。係止部２，２の端面部３の周方向中央部は、所定の曲率半径で湾曲しているとともに、前記曲率半径よりも小さい曲率半径をもつ端面アール部３１を逃がすための逃がし穴８を有している。バンド部１０は扁平状であり、指を挿し入れやすくするための反り上がり部１１が成形されている。【選択図】図１
2016032198.tif 000002
【特許請求の範囲】
【請求項１】
携帯機器（３０）の対角の隅部にその端面と正面と背面とを覆って係止させるための、端面部（３）と正面部（４）と背面部（５）とからなる一対の係止部（２，２）と、
一対の係止部（２，２）の背面部（５）を連結して携帯機器（３０）の背面に沿わせるための、バンド部（１０）とを備え、
係止部（２，２）は硬質材料製の芯部（６）と伸縮性高分子材料製の被覆部（７）とからなり、
バンド部（１０）は被覆部（７）と連続する伸縮性高分子材料製であり、
係止部（２，２）の端面部（３）の周方向中央部は、所定の曲率半径で湾曲しているとともに、前記曲率半径よりも小さい曲率半径をもつ携帯機器（３０）の端面アール部（３１）を逃がすための逃がし穴（８）を有していることを特徴とする携帯機器の保持具。
【請求項２】
芯部（６）は端面部（３）と正面部（４）と背面部（５）とにかかる一体成形品である請求項１記載の携帯機器の保持具。
【請求項３】
バンド部（１０）は扁平状であり、その長さ方向途中部に、携帯機器（３０）の背面との間に隙間（１２）を形成して指を挿し入れやすくするための反り上がり部（１１）が成形されている請求項１又は２記載の携帯機器の保持具。
【請求項４】
反り上がり部（１１）は、バンド部（１０）の幅方向中央部は反り上がらないのに対して幅方向の両縁側が反り上がるように成形された反り上がり部（１１）である請求項３記載の携帯機器の保持具。
【発明の詳細な説明】
【技術分野】
【０００１】
本発明は、携帯電話機（スマートフォンを含む）、携帯パソコン、携帯ゲーム機、携帯音楽プレーヤー等の携帯機器を握持する際の保持具に関するものである。
【背景技術】
【０００２】
近年、片手で握持できるコンパクトなタブレット型（板状）のスマートフォンやパソコン等の携帯機器が、急速に普及してきた。片手による握持は、簡便ではあるが、うっかり握持を緩めたり手に何かが当たったりする等のちょっとしたはずみで、携帯機器が手から放れて落下しやすい。そこで、携帯機器が手から放れないようにするための保持具が提案されている。
【０００３】
例えば、特許文献１には、携帯端末の掌が接する部分に取付けられる取付けベースと、該取付けベースに取付けられる金属製又は合成樹脂製の取付けピンと、該取付けピンにピン回りに回転自在又は変形可能に取付けられ、指が挿し込まれる金属製又は硬質合成樹脂製のリングとを備えた、携帯端末のホルダーが記載されている。
【０００４】
また、特許文献２には、伸縮する素材（シリコーン樹脂やゴム）で作られた帯状体の両端に、携帯情報端末の対角する隅部に係止する係止部として穴又は袋状部を設けた、携帯情報端末の保持具が記載されている。
【先行技術文献】
【特許文献】
【０００５】
【特許文献１】特開２０１１−３５８１０号公報
【特許文献２】実用新案登録第３１８６３６８号公報
【発明の概要】
【発明が解決しようとする課題】
【０００６】
しかしながら、特許文献１のホルダーは、携帯端末の裏面側に、取付けピンとリングが出っ張るため、不使用時に違和感があった。また、リングに指を挿し込むには、リングを起こしてから適当な向きに回転させる必要があるため、面倒であった。
【０００７】
また、特許文献２の保持具は、伸縮素材の両端の係止部としての穴又は袋状部を伸ばし曲げたり伸ばし広げたりして携帯情報端末の隅部に係止するため、係止部を係止させにくく、また、係止部が係止後に外力により変形して外れるおそれもあった。また、伸縮素材の帯状体と携帯情報端末の背面との間は密着するため、その間に指を挿し入れるときに、伸縮素材の帯状体を携帯情報端末の背面からめくる必要があるため、面倒であった。
【０００８】
そこで、本発明の目的は、係止部の剛性を高めて、係止部を携帯機器の隅部に係止させやすく且つ係止後に外れにくくし、また、携帯機器の隅部の色々な曲率半径をもつ端面アール部に対応して、係止部を浮き上がらないように且つコンパクトに係止させることができる保持具を提供することにある。
【課題を解決するための手段】
【０００９】
本発明の携帯機器の保持具は、
携帯機器の対角の隅部にその端面と正面と背面とを覆って係止させるための、端面部と正面部と背面部とからなる一対の係止部と、
一対の係止部を連結して携帯機器の背面に沿わせるための、バンド部とを備え、
係止部は硬質材料製の芯部と伸縮性高分子材料製の被覆部とからなり、
バンド部は被覆部と連続する伸縮性高分子材料製であり、
係止部の端面部の周方向中央部は、所定の曲率半径で湾曲しているとともに、前記曲率半径よりも小さい曲率半径をもつ携帯機器の端面アール部を逃がすための逃がし穴を有していることを特徴とする。
【００１０】
ここで、芯部の硬質材料としては、特に限定されないが、硬質合成樹脂、金属等を例示できる。
【００１１】
被覆部及びバンド部の伸縮性高分子材料としては、特に限定されないが、軟質合成樹脂（シリコーン樹脂等）、エラストマー、ゴム等を例示できる。
【００１２】
芯部は端面部と正面部と背面部とにかかる一体成形品であることが、剛性の点で好ましい。被覆部は芯部の全体を被覆していてもよいし、芯部の一部を被覆していてもよい。
【００１３】
バンド部は扁平状であり、その長さ方向途中部に、携帯機器の背面との間に隙間を形成して指を挿し入れやすくするための反り上がり部が成形されていることが好ましい。反り上がり部としては、特に限定されないが、次の態様を例示できる。
（１）バンド部の幅方向中央部は反り上がらないのに対して幅方向の両縁側が反り上がるように成形された反り上がり部
（２）バンド部の幅方向の一方縁側は反り上がらないのに対して幅方向の他方縁側が反り上がるように成形された反り上がり部
（３）バンド部の幅方向全体が反り上がるように成形された反り上がり部
【００１４】
保持対象である携帯機器としては、特に限定されないが、携帯電話機（スマートフォンを含む）、携帯パソコン、携帯ゲーム機、携帯音楽プレーヤー等を例示できる。携帯機器は、片手で握持できる携帯機器が好ましい。また、携帯機器は、保持した携帯機器の正面をタッチすることにより操作することができる、タブレット型（板状）の携帯機器が好ましい。
【発明の効果】
【００１５】
本発明の携帯機器の保持具によれば、係止部の剛性が高められ、係止部を携帯機器の隅部に係止させやすく且つ係止後に外れにくくすることができ、また、携帯機器の隅部の色々な曲率半径をもつ端面アール部に対応して、係止部を浮き上がらないように且つコンパクトに係止させることができるという優れた効果を奏する。
【図面の簡単な説明】
【００１６】
【図１】（ａ）は実施例の保持具の斜視図、（ｂ）は同保持具をスマートフォンに装着した状態の斜視図、（ｃ）は同保持具を別のスマートフォンに装着した状態の斜視図である。
【図２】同保持具の（ａ）は正面図、（ｂ）は背面図、（ｃ）は右側面図、（ｄ）は左側面図、（ｅ）は平面図、（ｆ）は底面図である。
【図３】（ａ）は同保持具とスマートフォンとの間に指を挿し入れ始めるときの左側面図、（ｂ）は同じく挿し入れた状態の背面図である。
【図４】（ａ１）は変更例の保持具の左側面図、（ａ２）は同じく背面図、（ｂ１）は別の変更例の保持具の左側面図、（ｂ２）は同じく背面図である。
【発明を実施するための形態】
【００１７】
本発明の携帯機器の保持具は、携帯機器の対角の隅部にその端面と正面と背面とを覆って係止させるための、端面部と正面部と背面部とからなる一対の係止部と、一対の係止部の背面部を連結して携帯機器の背面に沿わせるための、バンド部とを備え、係止部は硬質材料製の芯部と伸縮性高分子材料製の被覆部とからなり、バンド部は被覆部と連続する伸縮性高分子材料製であり、係止部の端面部は、所定の曲率半径で湾曲しているとともに、前記曲率半径よりも小さい曲率半径をもつ携帯機器の端面アール部を逃がすための逃がし穴を有している。
【実施例】
【００１８】
図１〜図３に示す実施例はスマートフォンの保持具１であって、片手で握持できるスマートフォン３０の対角の隅部にその端面と正面と背面とを覆って係止させるための、端面部３と正面部４と背面部５とからなる一対の係止部２，２と、一対の係止部２，２の背面部５を連結してスマートフォン３０の背面に沿わせるための、バンド部１０とを備えたものである。
【００１９】
係止部２，２は硬質合成樹脂製の芯部６とシリコーン樹脂製の被覆部７とからなる。芯部６は端面部３と正面部４と背面部５とにかかる一体成形品であり、被覆部７は芯部６の全体を被覆している。バンド部１０は前記被覆部と連続するシリコーン樹脂製である。この保持具１は、金型（図示略）に既成形の芯部６をセットし、シリコーン樹脂を射出することにより、被覆部７とバンド部１０とを連続的・一体的に成形した、いわゆる二色成形によるものである。
【００２０】
係止部２，２の端面部３の周方向中央部は、所定の曲率半径で湾曲しているとともに、前記曲率半径よりも小さい曲率半径をもつスマートフォン３０の端面アール部３１を逃がすための逃がし穴８を有している。
【００２１】
バンド部１０は扁平状であり、その長さ方向途中部に、スマートフォン３０の背面との間に隙間１２を形成して指を挿し入れやすくするための反り上がり部１１が、反り上がった状態を維持するように成形されている。本実施例の反り上がり部１１は、バンド部１０の幅方向中央部は反り上がらないのに対して幅方向の両縁側が反り上がるように成形された一対の反り上がり部１１である。
【００２２】
次に、上記のとおり構成された実施例の保持具１の使用方法及び作用効果を説明する。
（１）図１（ｂ）又は（ｃ）に示すように、スマートフォン３０の対角の一方の隅部に一つの係止部２を係止させてから、バンド部１０を弾性的に伸ばして、対角の他方の隅部に他方の係止部２を係止させると、バンド部１０は弾性的に一部戻ってやや緊張した状態となる。
図１（ｂ）のスマートフォン３０の端面アール部３１は、係止部２の前記曲率半径とほぼ等しい曲率半径をもつものであり、逃がし穴８に入り込まない。
図１（ｃ）のスマートフォン３０の端面アール部３１は、係止部２の前記曲率半径よりも小さい曲率半径をもつものであり、逃がし穴８に入り込んで逃がされる。このため、係止部２が端面アール部３１によって浮き上がることがなく、係止部２の係止が安定するとともに、コンパクトに収まる。
【００２３】
（２）次に、図３に示すように、スマートフォン３０の背面とバンド部１０との間に指を挿し入れて、スマートフォン３０を片手で握持する。指を挿し入れ始めるときには、図３（ａ）に示すように、反り上がり部１１によって形成された隙間１２に指先を割り込ませてバンド部１０をめくり上げやすいため、スムースに指を挿し入れることができる。また、反り上がり部１１はバンド部１０の幅方向の両縁側に成形されているため、左手の指を挿し入れる場合にも、右手の指を挿し入れる場合にも同効果が得られる。
【００２４】
（３）こうして、スマートフォン３０を握持した手をバンド部１０が押さえた状態になるため、うっかり握持を緩めたり手に何かが当たったりしても、スマートフォン３０が手から放れて落下することがなくなる。また、係止部２は、硬質合成樹脂製の芯部６の存在により形状を保とうとする剛性が高められているため、スマートフォン３０に係止させやすく、また係止した状態をしっかり維持し、外力が加わっても係止が外れにくい（この点からもスマートフォン３０が落下しにくい）。
【００２５】
次に、実施例の二つの変更例を説明する。
図４（ａ１）（ａ２）に示す変更例は、反り上がり部１１がバンド部１０の幅方向の片縁側に成形されている例、すなわち、バンド部１０の幅方向の一方縁側は反り上がらないのに対して幅方向の他方縁側が反り上がるように成形された反り上がり部１１の例である。
図４（ｂ１）（ｂ２）に示す別の変更例は、バンド部１０の幅方向全体が反り上がるように成形された反り上がり部１１の例である。
【００２６】
なお、本発明は前記実施例に限定されるものではなく、発明の趣旨から逸脱しない範囲で適宜変更して具体化することができる。
【符号の説明】
【００２７】
１    保持具
２    係止部
３    端面部
４    正面部
５    背面部
６    芯部
７    被覆部
８    逃がし穴
１０    バンド部
１１    反り上がり部
１２    隙間
３０    スマートフォン
３１    端面アール部
【図１】
2016032198.tif 000003
【図２】
2016032198.tif 000004
【図３】
2016032198.tif 000005
【図４】
2016032198.tif 000006